(57)【要約】【課題】商品ランキングデータによる自販機商品への一般ユーザの興味を自動販売機で良好に喚起することができるデータ処理システムを提供する。【解決手段】データ処理装置２００は、複数種類の自販機商品の商品ランキングデータＴＲＤをランキング記憶部２１０で記憶し、その出力形態を変更する複数の出力変更モードをモード記憶部２２０で記憶する。この複数の出力変更モードの少なくとも一つをモード設定部２３０で有効に設定し、商品ランキングデータＴＲＤとともにデータ配信部２４０で自動販売機１００に配信する。その自動販売機１００では、受信された商品ランキングデータＴＲＤの出力形態を受信された出力変更モードに対応して出力変更部１３１が変更してランキング報知部１４１で報知出力する。このため、自販機商品の商品ランキングデータＴＲＤを一般ユーザに様々な出力形態で報知できる。【選択図】図１
2010191841.tif 000002
【特許請求の範囲】
【請求項１】
複数種類の自販機商品を販売する複数の自動販売機と少なくとも一個のデータ処理装置とがデータ通信するデータ処理システムであって、
前記データ処理装置が、前記自動販売機に収容されている複数種類の前記自販機商品の商品ランキングデータを記憶するランキング記憶部と、記憶されている前記商品ランキングデータの少なくとも出力形態を変更する複数の出力変更モードを記憶するモード記憶部と、複数の前記出力変更モードの少なくとも一つを有効に設定するモード設定部と、有効に設定された前記出力変更モードと前記商品ランキングデータとを前記自動販売機に配信するデータ配信部と、を有し、
前記自動販売機が、配信される前記商品ランキングデータと前記出力変更モードとを受信するデータ受信部と、受信された前記商品ランキングデータの出力形態を受信された前記出力変更モードに対応して変更する出力変更部と、変更された前記出力形態で前記商品ランキングデータを報知出力するランキング報知部と、を有するデータ処理システム。
【請求項２】
前記モード記憶部は、複数の前記出力変更モードの一種として前記商品ランキングデータの出力タイミングを変更する複数のタイミング変更モードを記憶し、
前記モード設定部は、一般ユーザによるユーザアクションに対応して複数の前記タイミング変更モードの一つを有効に設定し、
前記データ配信部は、有効に設定された前記タイミング変更モードと前記商品ランキングデータとを前記自動販売機に配信し、
前記データ受信部は、配信される前記商品ランキングデータと前記タイミング変更モードとを受信し、
前記出力変更部は、受信された前記商品ランキングデータの前記出力タイミングを受信された前記タイミング変更モードに対応して変更し、
前記ランキング報知部は、前記タイミング変更モードに対応して変更された前記出力タイミングで前記商品ランキングデータを報知出力する請求項１に記載のデータ処理システム。
【請求項３】
前記モード記憶部は、複数の前記出力変更モードの一種として前記自販機商品が販売される複数種類の商品販売領域ごとに前記商品ランキングデータを集計する複数の領域集計モードを記憶し、
前記モード設定部は、前記出力変更モードとして複数の前記領域集計モードの一つを有効に設定し、
前記データ配信部は、有効に設定された前記領域集計モードと前記商品ランキングデータとを前記自動販売機に配信し、
前記データ受信部は、配信される前記商品ランキングデータと前記領域集計モードとを受信し、
前記出力変更部は、設定された前記領域集計モードに対応した前記商品販売領域の前記商品ランキングデータを集計し、
前記ランキング報知部は、前記領域集計モードに対応した前記商品販売領域で集計された前記商品ランキングデータを報知出力する請求項１または２に記載のデータ処理システム。
【請求項４】
前記モード記憶部は、複数の前記出力変更モードの一種として前記自販機商品が販売される複数の商品販売期間ごとに前記商品ランキングデータを集計する複数の期間集計モードを記憶し、
前記モード設定部は、前記出力変更モードとして複数の前記期間集計モードの一つを有効に設定し、
前記データ配信部は、有効に設定された前記期間集計モードと前記商品ランキングデータとを前記自動販売機に配信し、
前記データ受信部は、配信される前記商品ランキングデータと前記期間集計モードとを受信し、
前記出力変更部は、設定された前記期間集計モードに対応した前記商品販売期間の前記商品ランキングデータを集計し、
前記ランキング報知部は、前記期間集計モードに対応した前記商品販売期間で集計された前記商品ランキングデータを報知出力する請求項１ないし３の何れか一項に記載のデータ処理システム。
【請求項５】
前記モード記憶部は、複数の前記出力変更モードの一種として前記自販機商品の複数種類の販売商品区分ごとに前記商品ランキングデータを集計する複数の区分集計モードを記憶し、
前記モード設定部は、前記出力変更モードとして複数の前記区分集計モードの一つを有効に設定し、
前記データ配信部は、有効に設定された前記区分集計モードと前記商品ランキングデータとを前記自動販売機に配信し、
前記データ受信部は、配信される前記商品ランキングデータと前記区分集計モードとを受信し、
前記出力変更部は、設定された前記区分集計モードに対応した前記販売商品区分の前記商品ランキングデータを集計し、
前記ランキング報知部は、前記区分集計モードに対応した前記販売商品区分で集計された前記商品ランキングデータを報知出力する請求項１ないし４の何れか一項に記載のデータ処理システム。
【請求項６】
一般ユーザによる少なくとも一つのユーザアクションを検知するアクション検知部を、さらに有し、
前記出力変更部は、検知された前記ユーザアクションと前記出力変更モードとに対応して前記商品ランキングデータの出力形態を変更する請求項１ないし５の何れか一項に記載のデータ処理システム。
【請求項７】
前記自動販売機は、少なくともテキストデータを表示出力するディスプレイユニットを有し、
前記ランキング報知部は、前記ディスプレイユニットに前記テキストデータで前記商品ランキングデータを表示出力させる請求項１ないし６の何れか一項に記載のデータ処理システム。
【請求項８】
前記自動販売機は、少なくとも点灯する光源が内蔵されていて複数種類の前記自販機商品の選定に個々に利用される複数の商品選定スイッチを有し、
前記ランキング報知部は、報知出力する前記商品ランキングデータに対応して複数の前記商品選定スイッチの前記光源の点灯状態を選択的に制御する請求項１ないし７の何れか一項に記載のデータ処理システム。
【請求項９】
前記商品選定スイッチは、前記光源が内蔵されていて前記自販機商品を模式している商品ダミー部と、前記光源が内蔵されていてユーザ入力操作されるユーザ操作部と、を有し、
前記ランキング報知部は、前記商品ダミー部と前記ユーザ操作部との前記光源の点灯状態を個別に制御する請求項８に記載のデータ処理システム。
【請求項１０】
請求項１ないし９の何れか一項に記載のデータ処理システムのデータ処理装置であって、
前記自動販売機に収容されている複数種類の前記自販機商品の商品ランキングデータを記憶するランキング記憶部と、
記憶されている前記商品ランキングデータの少なくとも出力形態を変更する複数の出力変更モードを記憶するモード記憶部と、
複数の前記出力変更モードの少なくとも一つを有効に設定するモード設定部と、
有効に設定された前記出力変更モードと前記商品ランキングデータとを前記自動販売機に配信するデータ配信部と、
を有するデータ処理装置。
【請求項１１】
請求項１ないし９の何れか一項に記載のデータ処理システムの自動販売機であって、
配信される前記商品ランキングデータと前記出力変更モードとを受信するデータ受信部と、
受信された前記商品ランキングデータの出力形態を受信された前記出力変更モードに対応して変更する出力変更部と、
変更された前記出力形態で前記商品ランキングデータを報知出力するランキング報知部と、
を有する自動販売機。
【請求項１２】
請求項１０に記載のデータ処理装置のコンピュータプログラムであって、
前記自動販売機に収容されている複数種類の前記自販機商品の商品ランキングデータを記憶するランキング記憶処理と、
記憶されている前記商品ランキングデータの少なくとも出力形態を変更する複数の出力変更モードを記憶するモード記憶処理と、
複数の前記出力変更モードの少なくとも一つを有効に設定するモード設定処理と、
有効に設定された前記出力変更モードと前記商品ランキングデータとを前記自動販売機に配信するデータ配信処理と、
をデータ処理装置に実行させるコンピュータプログラム。
【請求項１３】
請求項１１に記載の自動販売機のコンピュータプログラムであって、
配信される前記商品ランキングデータと前記出力変更モードとを受信するデータ受信処理と、
受信された前記商品ランキングデータの出力形態を受信された前記出力変更モードに対応して変更する出力変更処理と、
変更された前記出力形態で前記商品ランキングデータを報知出力するランキング報知処理と、
を自動販売機に実行させるコンピュータプログラム。
【請求項１４】
請求項１０に記載のデータ処理装置のデータ処理方法であって、
前記自動販売機に収容されている複数種類の前記自販機商品の商品ランキングデータを記憶するランキング記憶動作と、
記憶されている前記商品ランキングデータの少なくとも出力形態を変更する複数の出力変更モードを記憶するモード記憶動作と、
複数の前記出力変更モードの少なくとも一つを有効に設定するモード設定動作と、
有効に設定された前記出力変更モードと前記商品ランキングデータとを前記自動販売機に配信するデータ配信動作と、
を有するデータ処理方法。
【請求項１５】
請求項１１に記載の自動販売機のデータ処理方法であって、
配信される前記商品ランキングデータと前記出力変更モードとを受信するデータ受信動作と、
受信された前記商品ランキングデータの出力形態を受信された前記出力変更モードに対応して変更する出力変更動作と、
変更された前記出力形態で前記商品ランキングデータを報知出力するランキング報知動作と、
を有するデータ処理方法。
【発明の詳細な説明】
【技術分野】
【０００１】
本発明は、複数の自動販売機と少なくとも一個のデータ処理装置がデータ通信するデータ処理システム、そのデータ処理装置および自動販売機、そのコンピュータプログラムおよびデータ処理方法、に関する。
【背景技術】
【０００２】
現在、いわゆるコンビニエンスストアなどのサプライチェーン店舗では、いわゆるＰＯＳ(Point Of Sales)システムにより、店頭販売商品を商品販売処理するときに、その販売履歴データを生成して蓄積している。
【０００３】
このように複数のサプライチェーン店舗で蓄積された販売履歴データは、例えば、チェーン店舗本部のデータベースサーバなどに収集され、サプライチェーン企業や商品製造メーカでの販売戦略の立案などに利用される。
【０００４】
上述のようなデータ収集などにより生成される店頭販売商品の売上ランキングなどは、例えば、宣伝の一環としてインターネットなどで一般ユーザに公表されていることもある。
【０００５】
商品購買に関する「ランキング」という概念は古くから存在したものであるが、デジタルマーケティングの台頭を受けて、その重要性を増している。今日では、例えば、書籍の売上のように、さらに、ランキングへの依存を高めている商品が増えつつあるのが現状である。
【０００６】
また、マーケティングの基本理論であるＡＩＤＭＡ理論（Attention→Interest→Desire→Memory→Action）において、最も、着目されている「Attention」と「Interest」の双方を充たすものとして、「ランキング表示」に関する技術的な工夫へのニーズは、ますます高くなっているのが現状である。
【０００７】
例えば、販売者が、旬のある売れ筋商品の販売管理を容易にでき、消費者が、売れ筋商品に関する情報を一覧でき且つ直接店頭に出向かなくても実際に陳列されている売れ筋商品を知ることができるようにした商品販売支援システムの提案がある。
【０００８】
その商品販売支援システムでは、各商品種別における売れ行きランキング上位の各商品をそのランキングに対応付けて示すランキング情報を入力すると、販売商品決定手段は、このランキング情報により示される各商品の商品特性及び店舗における店舗容量のうち少なくとも一方とランキングとに基づいて、店舗において販売すべき商品種別と該販売すべき商品種別に属する各商品のうちランキング上位の中で特定順位のものまで販売するかを決定する。この決定された商品種別及び商品を示す情報を、所定フォーマットで出力し、更に店舗に関連付けて需要者に開示する(例えば、特許文献１参照)。
【０００９】
また、商品の売れ筋情報を顧客に的確に供与できる自動販売機の提案もある。その自動販売機では、商品搬出毎に販売データの集計を行って順位付けを行い、１〜５位の順位が付与された商品の「縮小商品画像」とその「販売数順位」を現すランキング画像を作成してこれを表示することにより、このランキング画像によって商品の売れ筋情報を顧客に的確に供与して顧客が商品を購入する際の有益な情報として役立たせることができる(例えば、特許文献２参照)。
【００１０】
さらに、自動販売機内部の商品の配列位置を変えることなく、それとは無関係に、商品の表示位置を自由に、しかも、自動販売機まで出向かずに変更するシステムの提案もある。
【００１１】
そのシステムでは、自動販売機に電子表示機能および通信機能をもたせてデータセンタとネットワークで結び、データセンタからネットワークを介して自動販売機へ商品表示情報を配信し、自動販売機が前記商品表示情報にしたがって商品を表示する(例えば、特許文献３参照)。
【先行技術文献】
【特許文献】
【００１２】
【特許文献１】特開２００２−３３４２２９号公報
【特許文献２】特開２００５−２０２６８３号公報
【特許文献３】特開２００２−０４２２２３号公報
【発明の概要】
【発明が解決しようとする課題】
【００１３】
上述した特許文献２の技術は、ランキング表示と自動販売機を単純マッチングさせている。つまり、自動販売機を介した顧客との接点の改善を表示パネルに委ねている。その自動販売機では、商品搬出のフラグ→販売データの抽出→集計→ランキング画像の作成→画像の置換（表示）、を実行している。
【００１４】
しかし、上記の自動販売機は商品ランキングデータを一般ユーザに単純に表示しているだけである。このため、自販機商品への一般ユーザの興味を良好に喚起するようなことは困難である。
【００１５】
本発明は上述のような課題に鑑みてなされたものであり、商品ランキングデータによる自販機商品への一般ユーザの興味を良好に喚起することができるデータ処理システム、そのデータ処理装置および自動販売機、そのコンピュータプログラムおよびデータ処理方法、を提供するものである。
【課題を解決するための手段】
【００１６】
本発明のデータ処理システムは、複数種類の自販機商品を販売する複数の自動販売機と少なくとも一個のデータ処理装置とがデータ通信するデータ処理システムであって、データ処理装置が、自動販売機に収容されている複数種類の自販機商品の商品ランキングデータを記憶するランキング記憶部と、記憶されている商品ランキングデータの少なくとも出力形態を変更する複数の出力変更モードを記憶するモード記憶部と、複数の出力変更モードの少なくとも一つを有効に設定するモード設定部と、有効に設定された出力変更モードと商品ランキングデータとを自動販売機に配信するデータ配信部と、を有し、自動販売機が、配信される商品ランキングデータと出力変更モードとを受信するデータ受信部と、受信された商品ランキングデータの出力形態を受信された出力変更モードに対応して変更する出力変更部と、変更された出力形態で商品ランキングデータを報知出力するランキング報知部と、を有する。
【００１７】
従って、本発明のデータ処理システムでは、複数種類の自販機商品を販売する複数の自動販売機と少なくとも一個のデータ処理装置とがデータ通信する。そのデータ処理装置では、自動販売機に収容されている複数種類の自販機商品の商品ランキングデータをランキング記憶部が記憶する。この記憶されている商品ランキングデータの少なくとも出力形態を変更する複数の出力変更モードをモード記憶部が記憶する。この複数の出力変更モードの少なくとも一つをモード設定部が有効に設定する。この有効に設定された出力変更モードと商品ランキングデータとをデータ配信部が自動販売機に配信する。すると、その自動販売機では、配信される商品ランキングデータと出力変更モードとをデータ受信部が受信する。この受信された商品ランキングデータの出力形態を受信された出力変更モードに対応して出力変更部が変更する。この変更された出力形態で商品ランキングデータをランキング報知部が報知出力する。このため、データ処理装置で複数の出力変更モードの少なくとも一つが有効に設定されることで、自動販売機での商品ランキングデータの出力形態が変更されて報知出力される。
【００１８】
また、上述のようなデータ処理システムにおいて、モード記憶部は、複数の出力変更モードの一種として商品ランキングデータの出力タイミングを変更する複数のタイミング変更モードを記憶し、モード設定部は、一般ユーザによるユーザアクションに対応して複数のタイミング変更モードの一つを有効に設定し、データ配信部は、有効に設定されたタイミング変更モードと商品ランキングデータとを自動販売機に配信し、データ受信部は、配信される商品ランキングデータとタイミング変更モードとを受信し、出力変更部は、受信された商品ランキングデータの出力タイミングを受信されたタイミング変更モードに対応して変更し、ランキング報知部は、タイミング変更モードに対応して変更された出力タイミングで商品ランキングデータを報知出力してもよい。
【００１９】
また、上述のようなデータ処理システムにおいて、モード記憶部は、複数の出力変更モードの一種として自販機商品が販売される複数種類の商品販売領域ごとに商品ランキングデータを集計する複数の領域集計モードを記憶し、モード設定部は、出力変更モードとして複数の領域集計モードの一つを有効に設定し、データ配信部は、有効に設定された領域集計モードと商品ランキングデータとを自動販売機に配信し、データ受信部は、配信される商品ランキングデータと領域集計モードとを受信し、出力変更部は、設定された領域集計モードに対応した商品販売領域の商品ランキングデータを集計し、ランキング報知部は、領域集計モードに対応した商品販売領域で集計された商品ランキングデータを報知出力してもよい。
【００２０】
また、上述のようなデータ処理システムにおいて、モード記憶部は、複数の出力変更モードの一種として自販機商品が販売される複数の商品販売期間ごとに商品ランキングデータを集計する複数の期間集計モードを記憶し、モード設定部は、出力変更モードとして複数の期間集計モードの一つを有効に設定し、データ配信部は、有効に設定された期間集計モードと商品ランキングデータとを自動販売機に配信し、データ受信部は、配信される商品ランキングデータと期間集計モードとを受信し、出力変更部は、設定された期間集計モードに対応した商品販売期間の商品ランキングデータを集計し、ランキング報知部は、期間集計モードに対応した商品販売期間で集計された商品ランキングデータを報知出力してもよい。
【００２１】
また、上述のようなデータ処理システムにおいて、モード記憶部は、複数の出力変更モードの一種として自販機商品の複数種類の販売商品区分ごとに商品ランキングデータを集計する複数の区分集計モードを記憶し、モード設定部は、出力変更モードとして複数の区分集計モードの一つを有効に設定し、データ配信部は、有効に設定された区分集計モードと商品ランキングデータとを自動販売機に配信し、データ受信部は、配信される商品ランキングデータと区分集計モードとを受信し、出力変更部は、設定された区分集計モードに対応した販売商品区分の商品ランキングデータを集計し、ランキング報知部は、区分集計モードに対応した販売商品区分で集計された商品ランキングデータを報知出力してもよい。
【００２２】
また、上述のようなデータ処理システムにおいて、一般ユーザによる少なくとも一つのユーザアクションを検知するアクション検知部を、さらに有し、出力変更部は、検知されたユーザアクションと出力変更モードとに対応して商品ランキングデータの出力形態を変更してもよい。
【００２３】
また、上述のようなデータ処理システムにおいて、自動販売機は、少なくともテキストデータを表示出力するディスプレイユニットを有し、ランキング報知部は、ディスプレイユニットにテキストデータで商品ランキングデータを表示出力させてもよい。
【００２４】
また、上述のようなデータ処理システムにおいて、自動販売機は、少なくとも点灯する光源が内蔵されていて複数種類の自販機商品の選定に個々に利用される複数の商品選定スイッチを有し、ランキング報知部は、報知出力する商品ランキングデータに対応して複数の商品選定スイッチの光源の点灯状態を選択的に制御してもよい。
【００２５】
また、上述のようなデータ処理システムにおいて、商品選定スイッチは、光源が内蔵されていて自販機商品を模式している商品ダミー部と、光源が内蔵されていてユーザ入力操作されるユーザ操作部と、を有し、ランキング報知部は、商品ダミー部とユーザ操作部との光源の点灯状態を個別に制御してもよい。
【００２６】
本発明のデータ処理装置は、本発明のデータ処理システムのデータ処理装置であって、自動販売機に収容されている複数種類の自販機商品の商品ランキングデータを記憶するランキング記憶部と、記憶されている商品ランキングデータの少なくとも出力形態を変更する複数の出力変更モードを記憶するモード記憶部と、複数の出力変更モードの少なくとも一つを有効に設定するモード設定部と、有効に設定された出力変更モードと商品ランキングデータとを自動販売機に配信するデータ配信部と、を有する。
【００２７】
本発明の自動販売機は、本発明のデータ処理システムの自動販売機であって、配信される商品ランキングデータと出力変更モードとを受信するデータ受信部と、受信された商品ランキングデータの出力形態を受信された出力変更モードに対応して変更する出力変更部と、変更された出力形態で商品ランキングデータを報知出力するランキング報知部と、を有する。
【００２８】
本発明の第一のコンピュータプログラムは、本発明のデータ処理装置のコンピュータプログラムであって、自動販売機に収容されている複数種類の自販機商品の商品ランキングデータを記憶するランキング記憶処理と、記憶されている商品ランキングデータの少なくとも出力形態を変更する複数の出力変更モードを記憶するモード記憶処理と、複数の出力変更モードの少なくとも一つを有効に設定するモード設定処理と、有効に設定された出力変更モードと商品ランキングデータとを自動販売機に配信するデータ配信処理と、をデータ処理装置に実行させる。
【００２９】
本発明の第二のコンピュータプログラムは、本発明の自動販売機のコンピュータプログラムであって、配信される商品ランキングデータと出力変更モードとを受信するデータ受信処理と、受信された商品ランキングデータの出力形態を受信された出力変更モードに対応して変更する出力変更処理と、変更された出力形態で商品ランキングデータを報知出力するランキング報知処理と、を自動販売機に実行させる。
【００３０】
本発明のデータ処理方法は、本発明のデータ処理装置のデータ処理方法であって、自動販売機に収容されている複数種類の自販機商品の商品ランキングデータを記憶するランキング記憶動作と、記憶されている商品ランキングデータの少なくとも出力形態を変更する複数の出力変更モードを記憶するモード記憶動作と、複数の出力変更モードの少なくとも一つを有効に設定するモード設定動作と、有効に設定された出力変更モードと商品ランキングデータとを自動販売機に配信するデータ配信動作と、を有する。
【００３１】
本発明のデータ処理方法は、本発明の自動販売機のデータ処理方法であって、配信される商品ランキングデータと出力変更モードとを受信するデータ受信動作と、受信された商品ランキングデータの出力形態を受信された出力変更モードに対応して変更する出力変更動作と、変更された出力形態で商品ランキングデータを報知出力するランキング報知動作と、を有する。
【００３２】
なお、本発明の各種の構成要素は、その機能を実現するように形成されていればよく、例えば、所定の機能を発揮する専用のハードウェア、所定の機能がコンピュータプログラムにより付与されたコンピュータ装置、コンピュータプログラムによりコンピュータ装置に実現された所定の機能、これらの任意の組み合わせ、等として実現することができる。
【００３３】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００３４】
また、本発明のコンピュータプログラムおよびデータ処理方法は、複数の処理および動作を順番に記載してあるが、その記載の順番は複数の処理および複数の動作を実行する順番を限定するものではない。
【００３５】
このため、本発明のコンピュータプログラムおよびデータ処理方法を実施するときには、その複数の処理および複数の動作の順番は内容的に支障しない範囲で変更することができる。
【００３６】
さらに、本発明のコンピュータプログラムおよびデータ処理方法は、複数の処理および複数の動作が個々に相違するタイミングで実行されることに限定されない。このため、ある処理および動作の実行中に他の処理および動作が発生すること、ある処理および動作の実行タイミングと他の処理および動作の実行タイミングとの一部ないし全部が重複していること、等でもよい。
【００３７】
さらに、本発明で云う「データを記憶する」とは、本発明の装置が、少なくともデータを記憶する機能を有することを意味している。一方、本発明で云う「データを記憶している」とは、本発明の装置が、少なくともコンシューマにより使用されるときに「データを記憶している」状態となる機能を有することを意味している。
【００３８】
このため、本発明の装置がサプライヤから出荷されるときにデータが登録されていることの他、出荷されるときには登録されていないデータがコンシューマにより使用されるまでに登録されることも許容する。
【００３９】
また、本発明で云う自販機商品とは、少なくとも自動販売機で販売されることがある商品を意味しており、自動販売機でしか販売されない商品であることは意味していない。
【００４０】
さらに、商品販売領域とは、上述のような自販機商品が販売される三次元的に特定される領域を意味しており、例えば、その自動販売機、その自動販売機が設置されているサプライチェーン店舗、その自動販売機が設置されている販売区域、その自動販売機が設置されている市町村や都道府県、等として設定される。
【００４１】
また、商品販売期間とは、上述のような自販機商品が販売された時点の期間を意味しており、例えば、販売日一日、販売日から過去数日、過去数週間、過去数ヶ月、過去数年、等として設定される。
【００４２】
さらに、販売商品区分とは、上述のような自販機商品の各種特性を反映した区分であり、例えば、自販機商品がタバコパックであるならば、ロングかショートか、国内産か外国産か、メンソールか、ライトか、スリムか、等として設定される。
【発明の効果】
【００４３】
本発明のデータ処理システムでは、そのデータ処理装置は、自動販売機に収容されている複数種類の自販機商品の商品ランキングデータをランキング記憶部で記憶する。この記憶されている商品ランキングデータの少なくとも出力形態を変更する複数の出力変更モードをモード記憶部が記憶する。この複数の出力変更モードの少なくとも一つをモード設定部が有効に設定する。この有効に設定された出力変更モードと商品ランキングデータとをデータ配信部が自動販売機に配信する。すると、その自動販売機では、配信される商品ランキングデータと出力変更モードとをデータ受信部が受信する。この受信された商品ランキングデータの出力形態を受信された出力変更モードに対応して出力変更部が変更する。この変更された出力形態で商品ランキングデータをランキング報知部が報知出力する。このため、データ処理装置で複数の出力変更モードの少なくとも一つが有効に設定されることで、自動販売機での商品ランキングデータの出力形態が変更されて報知出力される。従って、販売する自販機商品の商品ランキングデータが一般ユーザに様々な出力形態で報知出力されるので、商品ランキングデータによる自販機商品への一般ユーザの興味を良好に喚起することができる。
【図面の簡単な説明】
【００４４】
【図１】本発明の実施の形態のデータ処理システムの論理構造を示す模式的なブロック図である。
【図２】データ処理システムの物理構造を示すブロック図である。
【図３】自動販売機の外観を示す斜視図である。
【図４】自動販売機の回路構造を示すブロック図である。
【図５】自動販売機の要部の外観を示す正面図である。
【図６】データ処理装置によるデータ処理方法を示すフローチャートである。
【図７】自動販売機によるデータ処理方法を示すフローチャートである。
【発明を実施するための形態】
【００４５】
本発明の実施の一形態を図面を参照して以下に説明する。本実施の形態のデータ処理システム１０００は、図１および図２に示すように、複数種類の自販機商品であるタバコパックを販売する複数の自動販売機１００と少なくとも一個のデータ処理装置２００とがデータ通信する。
【００４６】
本実施の形態のデータ処理システム１０００では、図１に示すように、データ処理装置２００が、自動販売機１００に収容されている複数種類のタバコパックの商品ランキングデータＴＲＤを記憶するランキング記憶部２１０と、記憶されている商品ランキングデータＴＲＤの少なくとも出力形態を変更する複数の出力変更モードを記憶するモード記憶部２２０と、複数の出力変更モードの少なくとも一つを有効に設定するモード設定部２３０と、有効に設定された出力変更モードと商品ランキングデータＴＲＤとを自動販売機１００に配信するデータ配信部２４０と、を有する。
【００４７】
一方、自動販売機１００が、配信される商品ランキングデータＴＲＤと出力変更モードとを受信するデータ受信部１５１と、受信された商品ランキングデータＴＲＤの出力形態を受信された出力変更モードに対応して変更する出力変更部１３１と、変更された出力形態で商品ランキングデータＴＲＤを報知出力するランキング報知部１４１と、を有する。
【００４８】
より具体的には、図２に示すように、本実施の形態のデータ処理システム１０００では、複数の自動販売機１００が商品製造メーカのデータ処理装置２００とＷＡＮ(Wide Area Network)などの通信ネットワークＣＩＮで接続されている。
【００４９】
商品製造メーカは、タバコパックを製造して自動販売機１００に供給する。データ処理装置２００は、商品製造メーカのデータベースサーバなどからなる。
【００５０】
このデータ処理装置２００は、詳細には後述するが、商品製造メーカで製造されて販売されているタバコパックの、各種の商品ランキングデータＴＲＤを収集して管理している。
【００５１】
本実施の形態の自動販売機１００は、図３に示すように、ボックス状の販売機本体１０１を有し、その内部に複数種類のタバコパックを収容している。そして、この収容している複数種類のタバコパックごとに、複数の商品選定スイッチ１１０が前面上部に配列されている。
【００５２】
この商品選定スイッチ１１０は、図１および図５に示すように、光源１１３が内蔵されていてタバコパックを模式している商品ダミー部１１１と、光源１１４が内蔵されていてユーザ入力操作されるユーザ操作部１１２と、を有する。
【００５３】
このため、ランキング報知部１４１は、商品ダミー部１１１とユーザ操作部１１２との光源１１３，１１４の点灯状態を個別に制御することで、報知出力する商品ランキングデータＴＲＤに対応して複数の商品選定スイッチ１１０の光源１１３，１１４の点灯状態を選択的に制御する。
【００５４】
また、本実施の形態の自動販売機１００では、図３に示すように、上述のような商品選定スイッチ１１０が配列されている部分の直下に、横長のディスプレイユニット１４０が配置されている。
【００５５】
そこで、詳細には後述するが、図５等に示すように、前述のランキング報知部１４１は、ディスプレイユニット１４０にテキストデータで商品ランキングデータＴＲＤを表示出力させる。
【００５６】
なお、本実施の形態のデータ処理システム１０００では、図１に示すように、データ処理装置２００のモード記憶部２２０が、複数の出力変更モードの一種として商品ランキングデータＴＲＤの出力タイミングを変更する複数のタイミング変更モードＴＣＭを記憶する。
【００５７】
このため、データ処理装置２００のモード設定部２３０は、例えば、所定操作に対応して複数のタイミング変更モードＴＣＭの一つを有効に設定し、この設定された一つのタイミング変更モードＴＣＭをデータ配信部２４０が自動販売機１００に商品ランキングデータＴＲＤとともに配信する。
【００５８】
そこで、この自動販売機１００では、配信されたタイミング変更モードＴＣＭをデータ受信部１５１で商品ランキングデータＴＲＤとともに受信する。すると、出力変更部１３１が受信された商品ランキングデータＴＲＤの出力タイミングを受信されたタイミング変更モードＴＣＭに対応して変更する。そこで、ランキング報知部１４１は、設定されたタイミング変更モードＴＣＭに対応した出力タイミングで商品ランキングデータＴＲＤを報知出力する。
【００５９】
また、データ処理装置２００のモード記憶部２２０は、複数の出力変更モードの一種としてタバコパックが販売される複数種類の商品販売領域ごとに商品ランキングデータＴＲＤを集計する複数の領域集計モードＳＴＭも記憶する。
【００６０】
このため、データ処理装置２００のモード設定部２３０で、出力変更モードとして複数の領域集計モードＳＴＭの一つが有効に設定されると、自動販売機１００の出力変更部１３１では、設定された領域集計モードＳＴＭに対応した商品販売領域での商品ランキングデータＴＲＤを集計することになる。
【００６１】
また、データ処理装置２００のモード記憶部２２０は、複数の出力変更モードの一種としてタバコパックが販売される複数の商品販売期間ごとに商品ランキングデータＴＲＤを集計する複数の期間集計モードＴＴＭも記憶する。
【００６２】
このため、データ処理装置２００のモード設定部２３０が、出力変更モードとして複数の期間集計モードＴＴＭの一つを有効に設定すると、自動販売機１００の出力変更部１３１は、設定された期間集計モードＴＴＭに対応した商品販売期間の商品ランキングデータＴＲＤを集計することになる。
【００６３】
なお、本実施の形態の自動販売機１００は、図４に示すように、ハードウェアとしてメモリデバイス１２０やコンピュータユニット１３０やデータ通信ユニット１５０なども有する。
【００６４】
そのコンピュータユニット１３０が、実装されているコンピュータプログラムに対応して各種のハードウェア１１０〜を統合制御することなどにより、上述した各部１３１，１４１，１５１、が論理的に実現されている。
【００６５】
例えば、データ受信部１５１は、コンピュータユニット１３０が実装されているコンピュータプログラムに対応してデータ通信ユニット１５０の受信データを認識する機能などに相当する。
【００６６】
出力変更部１３１は、コンピュータユニット１３０が実装されているコンピュータプログラムに対応して所定のデータ処理を実行する機能などに相当する。ランキング報知部１４１は、コンピュータユニット１３０が実装されているコンピュータプログラムに対応して商品選定スイッチ１１０の光源１１３，１１４やディスプレイユニット１４０を動作制御する機能などに相当する。
【００６７】
同様に、データ処理装置２００も、コンピュータ装置からなり、実装されているコンピュータプログラムに対応して各種の処理動作を実行することにより、上述のような各部２１０〜が実現されている。
【００６８】
例えば、ランキング記憶部２１０とモード記憶部２２０とは、そのコンピュータユニット(図示せず)が実装されているコンピュータプログラムに対応して認識するメモリデバイス(図示せず)の記憶エリアなどに相当する。
【００６９】
モード設定部２３０は、そのコンピュータユニットが実装されているコンピュータプログラムに対応して所定のデータ処理を実行する機能などに相当する。データ配信部２４０は、コンピュータユニットが実装されているコンピュータプログラムに対応してデータ通信ユニット(図示せず)のデータ送信を動作制御する機能などに相当する。
【００７０】
上述のようなデータ処理装置２００のコンピュータプログラムは、例えば、自動販売機１００に収容されている複数種類のタバコパックの商品ランキングデータＴＲＤを記憶するランキング記憶処理と、記憶されている商品ランキングデータＴＲＤの少なくとも出力形態を変更する複数の出力変更モードを記憶するモード記憶処理と、複数の出力変更モードの少なくとも一つを有効に設定するモード設定処理と、有効に設定された出力変更モードと商品ランキングデータＴＲＤとを自動販売機１００に配信するデータ配信処理と、をデータ処理装置２００に実行させるように記述されている。
【００７１】
また、自動販売機１００のコンピュータプログラムは、例えば、配信される商品ランキングデータＴＲＤと出力変更モードとを受信するデータ受信処理と、受信された商品ランキングデータＴＲＤの出力形態を受信された出力変更モードに対応して変更する出力変更処理と、変更された出力形態で商品ランキングデータＴＲＤを報知出力するランキング報知処理と、を自動販売機１００に実行させるように記述されている。
【００７２】
なお、本実施の形態のデータ処理システム１０００では、例えば、商品製造メーカのデータ処理装置２００が、複数の自動販売機１００に商品ランキングデータＴＲＤや出力変更モードを配信する。
【００７３】
上述のような構成において、本実施の形態のデータ処理システム１０００の動作を以下に説明する。まず、前述のように商品製造メーカは複数種類のタバコパックを製造し、自動販売機１００を利用するなどして販売している。
【００７４】
そして、例えば、タバコパックの銘柄ごとの売上状況を、商品ランキングデータＴＲＤとして個体ごとにデータ処理装置２００で収集している。ただし、この商品ランキングデータＴＲＤは、例えば、何処の自動販売機１００で販売されたか、コンビニエンスストアなどの何処の店舗で販売されたか、何処の地域で販売されたか、などのタバコパックが販売される複数種類の商品販売領域が、販売されたタバコパックごとに領域属性データとして付与されている。
【００７５】
さらに、販売されたのは何年何月何日何時何分何秒か、何曜日か、平日か休日か祝日か、などのタバコパックが販売される商品販売期間も、販売されたタバコパックごとに期間属性データとして付与されている。
【００７６】
そこで、データ処理装置２００は、図６に示すように、上述のような商品ランキングデータＴＲＤを、一日一回などの所定タイミングごとに収集して更新している(ステップＳ１〜Ｓ３)。
【００７７】
そして、例えば、商品製造メーカで決定された商品販売戦略などに対応して、一日一回などの所定の配信タイミングとなると(ステップＳ４−Ｙ)、複数種類のタイミング変更モードＴＣＭの一つと、複数の領域集計モードＳＴＭの一つと、複数の期間集計モードＴＴＭの一つと、を有効に設定する(ステップＳ５)。
【００７８】
そして、このように有効に設定された複数種類のタイミング変更モードＴＣＭの一つと複数の領域集計モードＳＴＭの一つと複数の期間集計モードＴＴＭの一つとを、商品ランキングデータＴＲＤとともに自動販売機１００に配信する(ステップＳ６)。
【００７９】
すると、図７に示すように、この一つのタイミング変更モードＴＣＭと一つの領域集計モードＳＴＭと一つの期間集計モードＴＴＭとを商品ランキングデータＴＲＤとともに受信した自動販売機１００では(ステップＴ１−Ｙ)、その商品ランキングデータＴＲＤが、受信された領域集計モードＳＴＭに対応した商品販売領域と期間集計モードＴＴＭに対応した商品販売期間とで集計される(ステップＴ２)。
【００８０】
そして、このように集計された商品ランキングデータＴＲＤが、受信されたタイミング変更モードＴＣＭに対応した表示切換タイミングで(ステップＴ４−Ｎ)、ディスプレイユニット１４０にテキストデータで表示出力される(ステップＴ３)。
【００８１】
例えば、タイミング変更モードＴＣＭとして、商品ランキングデータＴＲＤの毎時変化表示、領域集計モードＳＴＭとして、その自動販売機１００での商品ランキングデータＴＲＤ、期間集計モードＴＴＭとして、一ヶ月の商品ランキングデータＴＲＤ、が自動販売機１００に設定されたとする。
【００８２】
すると、その自動販売機１００は、一ヶ月に販売したタバコパックの商品ランキングデータＴＲＤを一時間毎の周期で変化させて表示出力する。このような商品ランキングデータＴＲＤは、例えば、図５に示すように、ディスプレイユニット１４０にテキストデータで以下のように表示出力される。
【００８３】
「この販売機で一ヶ月に販売されたランキングです。  
第一位      第二位        第三位      第四位    …
Ｅライト    Ａメンソール  Ｃショート  Ｂライト  …」
【００８４】
なお、このようなテキストデータからなる商品ランキングデータＴＲＤの表示出力は、例えば、右側から左方へのスクロール表示などで、顧客の注意を良好に喚起するように出力される。
【００８５】
また、タイミング変更モードＴＣＭとして、複数領域の十分などの所定間隔での経時切換表示、領域集計モードＳＴＭとして、その自動販売機１００、その市街、その都道府県、期間集計モードＴＴＭとして、一週間の商品ランキングデータＴＲＤ、が自動販売機１００に設定されたとする。
【００８６】
すると、その自動販売機１００は、その自動販売機１００、その市街、その都道府県、で一週間に販売されたタバコパックの商品ランキングデータＴＲＤを、十分ごとに集計して切換表示する。
【００８７】
さらに、上述のように商品ランキングデータＴＲＤがディスプレイユニット１４０に表示出力されるとき、例えば、タバコパックの商品選定スイッチ１１０の点灯状態が制御されてもよい。
【００８８】
その場合、例えば、第一位のタバコパックでは商品選定スイッチ１１０の商品ダミー部１１１とユーザ操作部１１２とが点滅され、第二位では商品ダミー部１１１が点滅されるとともにユーザ操作部１１２とが点灯され、第三位では商品ダミー部１１１とユーザ操作部１１２とが点灯される。
【００８９】
また、上述のような商品選定スイッチ１１０の点灯状態が動的に制御されてもよい。例えば、前述のようにテキストデータからなる商品ランキングデータＴＲＤがスクロール表示されるとき、そのディスプレイユニット１４０での表示出力されているタバコパックの商品選定スイッチ１１０が点滅されてもよい。
【００９０】
本実施の形態のデータ処理システム１０００では、そのデータ処理装置２００は、自動販売機１００に収容されている複数種類のタバコパックの商品ランキングデータＴＲＤをランキング記憶部２１０で記憶する。
【００９１】
この記憶されている商品ランキングデータＴＲＤの少なくとも出力形態を変更する複数の出力変更モードをモード記憶部２２０が記憶する。この複数の出力変更モードの少なくとも一つをモード設定部２３０が有効に設定する。この有効に設定された出力変更モードと商品ランキングデータＴＲＤとをデータ配信部２４０が自動販売機１００に配信する。
【００９２】
すると、その自動販売機１００では、配信される商品ランキングデータＴＲＤと出力変更モードとをデータ受信部１５１が受信する。この受信された商品ランキングデータＴＲＤの出力形態を受信された出力変更モードに対応して出力変更部１３１が変更する。この変更された出力形態で商品ランキングデータＴＲＤをランキング報知部１４１が報知出力する。
【００９３】
このため、データ処理装置２００で複数の出力変更モードの少なくとも一つが有効に設定されることで、自動販売機１００での商品ランキングデータＴＲＤの出力形態が変更されて報知出力される。
【００９４】
従って、販売するタバコパックの商品ランキングデータＴＲＤが一般ユーザに様々な出力形態で報知出力されるので、商品ランキングデータＴＲＤによるタバコパックへの一般ユーザの興味を良好に喚起することができる。
【００９５】
特に、商品ランキングデータＴＲＤを常時収集しているデータ処理装置２００が、複数の出力変更モードの少なくとも一つを有効に設定し、商品ランキングデータＴＲＤとともに自動販売機１００に配信する。
【００９６】
このため、自動販売機１００による商品ランキングデータＴＲＤの集計と出力とを、データ処理装置２００により遠隔操作することができる。このため、商品製造メーカはデータ処理装置２００により商品ランキングデータＴＲＤを、所望のタイミングで自動販売機１００に配信して所望の形態で出力させることができる。
【００９７】
しかも、本実施の形態の自動販売機１００では、モード記憶部２２０は、複数の出力変更モードの一種としてタバコパックが販売される複数種類の商品販売領域ごとに商品ランキングデータＴＲＤを集計する複数の領域集計モードＳＴＭを記憶し、モード設定部２３０は、出力変更モードとして複数の領域集計モードＳＴＭの一つを有効に設定し、出力変更部１３１は、設定された領域集計モードＳＴＭに対応した商品販売領域での商品ランキングデータＴＲＤを集計する。
【００９８】
このため、広域から収集された商品ランキングデータＴＲＤを特定の商品販売領域ごとに集計して報知することができるので、例えば、特定の地域などに対応した一般ユーザの商品ランキングデータＴＲＤへの興味を良好に喚起することができる。
【００９９】
さらに、本実施の形態の自動販売機１００では、モード記憶部２２０は、複数の出力変更モードの一種としてタバコパックが販売される複数の商品販売期間ごとに商品ランキングデータＴＲＤを集計する複数の期間集計モードＴＴＭを記憶し、モード設定部２３０は、出力変更モードとして複数の期間集計モードＴＴＭの一つを有効に設定し、出力変更部１３１は、設定された期間集計モードＴＴＭに対応した商品販売期間の商品ランキングデータＴＲＤを集計する。
【０１００】
このため、長期間に収集された商品ランキングデータＴＲＤを特定の商品販売期間ごとに集計して報知することができるので、例えば、特定の日時などに対応した一般ユーザの商品ランキングデータＴＲＤへの興味を良好に喚起することができる。
【０１０１】
さらに、本実施の形態の自動販売機１００では、ランキング報知部１４１は、ディスプレイユニット１４０にテキストデータで商品ランキングデータＴＲＤを表示出力させる。このため、一般的なディスプレイユニット１４０で商品ランキングデータＴＲＤを明瞭に報知することができる。
【０１０２】
しかも、本実施の形態の自動販売機１００では、商品選定スイッチ１１０は、少なくとも点灯する光源１１３，１１４が内蔵されており、ランキング報知部１４１は、報知出力する商品ランキングデータＴＲＤに対応して複数の商品選定スイッチ１１０の光源１１３，１１４の点灯状態を選択的に制御する。
【０１０３】
このため、ディスプレイユニット１４０による表示出力だけなく、タバコパックの購入に利用される商品選定スイッチ１１０で商品ランキングデータＴＲＤを報知することができ、その商品ランキングデータＴＲＤに対応したタバコパックの購入を促進するようなことができる。
【０１０４】
特に、本実施の形態の自動販売機１００では、商品選定スイッチ１１０は、光源１１３が内蔵されていてタバコパックを模式している商品ダミー部１１１と、光源１１４が内蔵されていてユーザ入力操作されるユーザ操作部１１２と、を有し、ランキング報知部１４１は、商品ダミー部１１１とユーザ操作部１１２との光源１１３，１１４の点灯状態を個別に制御する。
【０１０５】
このため、複数段階の商品ランキングデータＴＲＤに対応して商品選定スイッチ１１０の商品ダミー部１１１とユーザ操作部１１２との点灯状態を個別に制御することができるので、より効果的に商品ランキングデータＴＲＤに対応した商品選定スイッチ１１０の点灯制御を実行することができる。
【０１０６】
また、本実施の形態のデータ処理システム１０００では、データ処理装置２００が複数の出力変更モードを選択的に設定し、自動販売機１００は設定された出力変更モードに対応して商品ランキングデータＴＲＤを出力する。
【０１０７】
このため、商品製造メーカでは、販売戦略などにより各種の出力変更モードを立案し、その出力変更モードを所望のタイミングで自動販売機１００に配信するようなことができる。
【０１０８】
なお、本発明は本実施の形態に限定されるものではなく、その要旨を逸脱しない範囲で各種の変形を許容する。例えば、上記形態では自動販売機１００がデータ処理装置２００により設定されたタイミング変更モードＴＣＭに対応したタイミングで、領域集計モードＳＴＭと期間集計モードＴＴＭとで商品ランキングデータＴＲＤを集計して出力することを例示した。
【０１０９】
しかし、自動販売機(図示せず)が、一般ユーザによる少なくとも一つのユーザアクションを検知するアクション検知部を、さらに有し、検知されたユーザアクションと出力変更モードとに対応して商品ランキングデータＴＲＤの出力形態を変更してもよい。
【０１１０】
より具体的には、例えば、一般ユーザが商品選定スイッチ１１０をユーザ入力操作したとき、一般ユーザが料金を投入したとき、一般ユーザが専用の人感センサに検知されたとき、一般ユーザが成人認証システムを使用したとき、などをユーザアクションとして検知し、そのタイミングで商品ランキングデータＴＲＤを切換表示してもよい(図示せず)。
【０１１１】
さらに、上記形態ではモード記憶部２２０が、複数の出力変更モードとして、タイミング変更モードＴＣＭと領域集計モードＳＴＭと期間集計モードＴＴＭとを記憶し、これらに対応して商品ランキングデータＴＲＤの出力形態が変更されることを例示した。
【０１１２】
しかし、上述のようなモード記憶部(図示せず)が、複数の出力変更モードの一種としてタバコパックの複数種類の販売商品区分ごとに商品ランキングデータＴＲＤを集計する複数の区分集計モードを記憶し、モード設定部２３０が、出力変更モードとして複数の区分集計モードの一つを有効に設定し、出力変更部１３１が、設定された区分集計モードに対応した販売商品区分で商品ランキングデータＴＲＤを集計してもよい。
【０１１３】
その場合、タバコパックごとの商品ランキングデータＴＲＤには、例えば、メンソールの有無、ロングやショートなどのサイズ、国内産か外国産かの区分、などの販売商品区分が、タバコパックごとに区分属性データとして付与される。
【０１１４】
そして、上述のような区分属性データに対応した複数種類の区分集計モードの一つがデータ処理装置２００で有効に設定されて自動販売機１００に配信されることにより、例えば、その自動販売機１００でメンソールタバコの商品ランキングデータＴＲＤなどが報知されることになる。
【０１１５】
また、上記形態では商品ランキングデータＴＲＤがテキストデータにより簡明に表示出力されることを例示した。しかし、このような商品ランキングデータＴＲＤが、いわゆる棒グラフや円グラフなどにより、グラフィカルに表示されてもよい。
【０１１６】
さらに、上記形態では商品ランキングデータＴＲＤがディスプレイユニット１４０により表示出力されることを例示した。しかし、スピーカユニット(図示せず)により音声出力されてもよい。
【０１１７】
また、本実施の形態では自動販売機の各部がコンピュータプログラムにより各種機能として論理的に実現されることを例示した。しかし、このような各部の各々を固有のハードウェアとして形成することもでき、ソフトウェアとハードウェアとの組み合わせとして実現することもできる。
【０１１８】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【０１１９】
１００    自動販売機
１０１    販売機本体
１１０    商品選定スイッチ
１１１    商品ダミー部
１１２    ユーザ操作部
１１３    光源
１１４    光源
１２０    メモリデバイス
１３０    コンピュータユニット
１３１    出力変更部
１４０    ディスプレイユニット
１４１    ランキング報知部
１５０    データ通信ユニット
１５１    データ受信部
２００    データ処理装置
２１０    ランキング記憶部
２２０    モード記憶部
２３０    モード設定部
２４０    データ配信部
１０００    データ処理システム
ＣＩＮ    通信ネットワーク
ＳＴＭ    領域集計モード
ＴＣＭ    タイミング変更モード
ＴＭＭ    商品製造メーカ
ＴＲＤ    商品ランキングデータ
ＴＴＭ    期間集計モード
【図１】
2010191841.tif 000003
【図２】
2010191841.tif 000004
【図３】
2010191841.tif 000005
【図４】
2010191841.tif 000006
【図５】
2010191841.tif 000007
【図６】
2010191841.tif 000008
【図７】
2010191841.tif 000009